(57)【要約】【課題】 通信回線を介して利用者端末から閲覧可能なＷＷＷページにて広告用メッセージに閲覧者の注意を引きつけて効果的な広告を行うことを可能とする。【解決手段】 通信回線を介して利用者端末から閲覧可能なＷＷＷページにて広告用メッセージを閲覧可能とした広告方法において、前記広告用メッセージと、該広告用メッセージと関連のあるニュースとがＷＷＷページ上に設けられた広告表示欄内に共に表示されるように掲載された当該ＷＷＷページを閲覧可能としたことを特徴とする。【選択図】  図１
2011154726.tif 000002
【特許請求の範囲】
【請求項１】
通信回線を介して利用者端末から広告用メッセージを閲覧可能としたＷＷＷサーバーにおける広告方法であって、
広告データベースに登録された前記広告用メッセージと、該広告用メッセージと関連のあるニュースとがＷＷＷページ上に設けられた広告表示欄内に共に表示されるように掲載された当該ＷＷＷページを閲覧可能としたことを特徴とする広告方法。
【請求項２】
前記広告用メッセージと、該広告用メッセージと関連付けられたニュースとが掲載されたＷＷＷページを閲覧可能とする際に、前記広告用メッセージが該ニュースと共にＷＷＷページ上にて移動しながら閲覧可能とさせることを特徴とする請求項１に記載の広告方法。
【請求項３】
通信回線を介して利用者端末から広告用メッセージを閲覧可能としたＷＷＷサーバーにおいて、
広告用メッセージを登録した広告データベースと、
前記広告データベースに登録された前記広告用メッセージと、該広告用メッセージと関連のあるニュースとがＷＷＷページ上に設けられた広告表示欄内に共に表示されるように掲載された当該ＷＷＷページを閲覧可能にする手段と、
を備えることを特徴とするＷＷＷサーバー。
【発明の詳細な説明】
【技術分野】
【０００１】
本発明は、通信回線を介して利用者端末から閲覧可能なＷＷＷページにて広告用メッセージを閲覧可能とした広告方法、通信回線を介して利用者端末から閲覧可能なＷＷＷページにて広告用メッセージを閲覧可能としたＷＷＷサーバーに関する。
【背景技術】
【０００２】
近年のインターネット関連技術の進展に伴い、通信回線を介して利用者端末から閲覧可能なＷＷＷページにて広告用メッセージを閲覧可能とし、これにより商品・サービス等の広告を行うことが広く行われている。
【発明の概要】
【発明が解決しようとする課題】
【０００３】
このようにして広告を行う場合、いかにして広告用メッセージに閲覧者の注意を引きつけて効果的な広告を行うかということが重要な課題になっている。本発明は、かかる課題を解決するためになされたものであり、通信回線を介して利用者端末から閲覧可能なＷＷＷページにて広告用メッセージに閲覧者の注意を引きつけて効果的な広告を行うことを可能とすることを目的とする。
【課題を解決するための手段】
【０００４】
前記目的を達成するため、本発明は、通信回線を介して利用者端末から広告用メッセージを閲覧可能としたＷＷＷサーバーにおける広告方法であって、
広告データベースに登録された前記広告用メッセージと、該広告用メッセージと関連のあるニュースとがＷＷＷページ上に設けられた広告表示欄内に共に表示されるように掲載された当該ＷＷＷページを閲覧可能としたことを特徴とする広告方法である。
【０００５】
この発明において、前記広告用メッセージと、該広告用メッセージと関連付けられたニュースとが掲載されたＷＷＷページを閲覧可能とする際に、前記広告用メッセージが該ニュースと共にＷＷＷページ上にて移動しながら閲覧可能とさせることとしてもよい。
【０００６】
さらに、本発明は、通信回線を介して利用者端末から広告用メッセージを閲覧可能としたＷＷＷサーバーにおいて、広告用メッセージを登録した広告データベースと、前記広告データベースに登録された前記広告用メッセージと、該広告用メッセージと関連のあるニュースとがＷＷＷページ上に設けられた広告表示欄内に共に表示されるように掲載された当該ＷＷＷページを閲覧可能にする手段と、を備えることを特徴とするＷＷＷサーバーである。
【発明の効果】
【０００７】
本発明によれば、通信回線を介して利用者端末から閲覧可能なＷＷＷページにて広告用メッセージに閲覧者の注意を引きつけて効果的な広告を行うことが可能な広告方法を実現することができる。
【０００８】
また、広告用メッセージを、該広告用メッセージに関連付けられたニュースとともにＷＷＷページにて閲覧可能とするから、より効果的に広告用メッセージに閲覧者の注意を引きつけて広告を行うことが可能な広告方法を実現することができる。また、複数のニュースのうち、広告用メッセージと関連のあるニュースを迅速に発見することができるという効果が得られる。
【図面の簡単な説明】
【０００９】
【図１】本実施の形態を説明するためのシステム構成図である。
【図２】ニュースデータベース３２の構成を示す図である。
【図３】広告データベース３４の構成を示す図である。
【図４】ＷＷＷページ３６の構成を示す図である。
【図５】ＷＷＷサーバーにおける処理の流れ（その１）を説明するための図である。
【図６】ＷＷＷサーバーにおける処理の流れ（その２）を説明するための図である。
【発明を実施するための形態】
【００１０】
＝＝＝システム構成＝＝＝
まず、本実施の形態に係るシステム構成を、図１、図２、図３を用いて説明する。図１は、本実施の形態を説明するためのシステム構成図である。図２は、ニュースデータベース３２の構成を示す図である。図３は、広告データベース３４の構成を示す図である。
【００１１】
図１に示されるように、複数の利用者端末１０ａ、１０ｂ、１０ｃ、１０ｄが、インターネット等の通信回線２０を介して、ＷＷＷサーバー３０に接続している。なお、通信回線とは、端末間で双方から通信可能な有線又は無線を意味する。また、図１には、一つのＷＷＷサーバー３０のみを記載しているが、複数のＷＷＷサーバーが通信回線を介して利用者端末１０ａ、１０ｂ、１０ｃ、１０ｄに接続していてもよい。
【００１２】
利用者端末１０ａ、１０ｂ、１０ｃ、１０ｄには、ＷＷＷサーバー３０に設けられたＷＷＷページ３６を閲覧するためのＷＷＷブラウザ（不図示）がそれぞれ設けられており、利用者は、このＷＷＷブラウザを用いて、種々のＷＷＷサーバー上のＷＷＷページを閲覧することができる。
【００１３】
ＷＷＷサーバー３０には、ハイパーテキスト形式で関連づけられたマルチメディア情報を有するＷＷＷページ３６が設けられている。本実施の形態では、このＷＷＷページ３６を用いて商品、サービス等の広告を行う。なお、このＷＷＷページは、ＨＴＭＬ(Hyper Text Markup Language)や、ＸＭＬ(Extensible Markup Language)等のマークアップ言語を用いて記述されている。
【００１４】
また、ＷＷＷサーバー３０には、種々のニュースが登録されるニュースデータベース３２、及び、種々の広告が登録される広告データベース３４が設けられている。ニュースデータベース３２には、図２に示すように、種々のニュースが登録されており、広告データベース３４には、図３に示すように、種々の広告が登録されている。
【００１５】
＝＝＝ＷＷＷページの構成＝＝＝
次に、図４を参照しつつ、ＷＷＷページ３６の構成を説明する。図４は、ＷＷＷページ３６の構成を示す図である。
【００１６】
ＷＷＷページ３６としては、オンラインショッピングのページ、電子図書館のページ、オンラインゲームのページ等の種々のページがあるが、本実施の形態においては、該ＷＷＷページ３６に広告を表示するための広告表示欄３８が設けられている。なお、広告表示欄３８の位置は、図４に示した位置に限られず、ＷＷＷページ３６内の任意の位置であってよい。
【００１７】
＝＝＝処理の流れ（その１）＝＝＝
次に本実施の形態における処理の流れ（その１）を、図５をも参照しつつ説明する。図５は、ＷＷＷサーバーにおける処理の流れ（その１）を説明するための図である。
【００１８】
まず、複数の広告用メッセージ及び複数のニュースを準備する（Ｓ２）。複数のニュースを準備するに際して、本実施の形態においては、ニュース毎に、個々のニュースを特定するためのＩＤ、ニュースの内容、ニュースの内容のキーワード、及び、ニュースデータベース３２への該ニュースの登録日を、ニュースデータベース３２に登録する。キーワードは、ニュースの内容を読んで人手により入力してもよいし、ニュースの内容から自動的に生成されるようにしてもよい。また、ニュース毎にニュースの内容をニュースデータベース３２に登録することは必須であるが、他の項目をニュースデータベース３２に登録することは任意である。
【００１９】
複数の広告用メッセージを準備するに際しては、個々の広告毎に、広告主名、広告用メッセージ、及び、広告用メッセージのキーワードを、広告データベース３４に登録する。キーワードは、広告用メッセージの内容を読んで人手により入力してもよいし、広告用メッセージの内容から自動的に生成されるようにしてもよい。また、広告毎に広告用メッセージを広告データベース３４に登録することは必須であるが、他の項目を広告データベース３４に登録することは任意である。
【００２０】
次に、広告データベース３４に登録されている複数の広告用メッセージのうち、ＷＷＷページ３６にて閲覧可能とする広告用メッセージを特定する（Ｓ４）。
【００２１】
次に、ニュースデータベース３２に登録されている前記複数のニュースのうち、特定された広告用メッセージと関連のあるニュースを、該広告用メッセージと関連付ける（Ｓ６）。この関連づけを行うに際しては、特定された広告用メッセージのキーワードと、ニュースデータベース３２に登録されているニュース毎のキーワードを用いて、複数のニュースから広告用メッセージと関連のあるニュースを検索し、検索の結果特定されたニュースのＩＤが、広告データベース３４に登録される。例えば、特定された広告用メッセージのキーワードと一致するキーワードを最も数多く含むニュースを検索することにより、該広告用メッセージと関連のあるニュースを特定する。
【００２２】
図２、及び、図３に示した例では、「スポーツ用品が何でも揃う○○スポーツ」という広告用メッセージには、「日本サッカー代表メンバーが帰国。」というニュースが関連付けられている。
【００２３】
なお、ニュースデータベース３２に登録されているニュース毎のキーワードを用いることなく、特定された広告用メッセージのキーワードを用いて、ニュースの内容全文を参照して、複数のニュースから広告用メッセージと関連のあるニュースを検索してもよい。さらに、特定された広告用メッセージのキーワードも、ニュースデータベース３２に登録されているニュース毎のキーワードも用いずに、人手作業により、複数のニュースから広告用メッセージと関連のあるニュースを検索してもよい。
【００２４】
このようにして、広告用メッセージにニュースが関連付られた後に、該広告用メッセージを、該広告用メッセージに関連付けられたニュースとともにＷＷＷページ３６にて閲覧可能とする（Ｓ８）。
【００２５】
＝＝＝処理の流れ（その２）＝＝＝
次に本実施の形態における処理の流れ（その２）を、図６をも参照しつつ説明する。図６は、ＷＷＷサーバーにおける処理の流れ（その２）を説明するための図である。
【００２６】
まず、複数のニュースを準備する（Ｔ２）。  
複数のニュースを準備するに際して、本実施の形態においては、ニュース毎に、個々のニュースを特定するためのＩＤ、ニュースの内容、ニュースの内容のキーワード、及び、ニュースデータベース３２への該ニュースの登録日を、ニュースデータベース３２に登録する。キーワードは、ニュースの内容を読んで人手により入力してもよいし、ニュースの内容から自動的に生成されるようにしてもよい。また、ニュース毎にニュースの内容をニュースデータベース３２に登録することは必須であるが、他の項目をニュースデータベース３２に登録することは任意である。
【００２７】
次に、広告用メッセージ毎に、複数のニュースのうち関連あるニュースが関連付けられた、複数の広告用メッセージを準備する（Ｔ４）。
【００２８】
複数の広告用メッセージを準備するに際しては、個々の広告毎に、広告主名、広告用メッセージ、広告用メッセージのキーワード、及び、該広告用メッセージと関連のあるニュースのＩＤを、広告データベース３４に登録する。キーワードは、広告用メッセージの内容を読んで人手により入力してもよいし、広告用メッセージの内容から自動的に生成されるようにしてもよい。また、広告毎に、広告用メッセージ、及び、該広告用メッセージと関連のあるニュースのＩＤを広告データベース３４に登録することは必須であるが、他の項目を広告データベース３４に登録することは任意である。
【００２９】
また、該広告用メッセージと関連のあるニュースを特定する際には、該広告用メッセージのキーワードと、ニュースデータベース３２に登録されているニュース毎のキーワードを用いて、複数のニュースから広告用メッセージと関連のあるニュースを検索する。例えば、特定された広告用メッセージのキーワードと一致するキーワードを最も数多く含むニュースを検索することにより、該広告用メッセージと関連のあるニュースを特定する。
【００３０】
なお、ニュースデータベース３２に登録されているニュース毎のキーワードを用いることなく、広告用メッセージのキーワードを用いて、ニュースの内容全文を参照して、複数のニュースから広告用メッセージと関連のあるニュースを検索してもよい。さらに、広告用メッセージのキーワードも、ニュースデータベース３２に登録されているニュース毎のキーワードも用いずに、人手作業により、複数のニュースから広告用メッセージと関連のあるニュースを検索してもよい。
【００３１】
次に、広告データベース３４に登録されている複数の広告用メッセージのうち、ＷＷＷページ３６にて閲覧可能とする広告用メッセージを特定する（Ｔ６）。
【００３２】
その後、特定された広告用メッセージとともに広告データベース３４に登録されたニュースＩＤを参照して、該広告用メッセージに関連付けられたニュースを特定し、該広告用メッセージを、該広告用メッセージに関連付けられたニュースとともにＷＷＷページ３６にて閲覧可能とする（Ｔ８）。
【００３３】
また、広告効果をより高めるために、前記処理の流れ（その１）及び処理の流れ（その２）において、広告用メッセージを、該広告用メッセージと関連のあるニュースとともにＷＷＷページにて閲覧可能とする際に、該広告用メッセージが該ニュースとともにＷＷＷページにて移動しながら閲覧可能とされるようにすることが好ましい。例えば、図４において、広告用メッセージが該ニュースとともに、Ａの方向へ移動しながら、閲覧可能とされるようにするとよい。
【００３４】
以上説明した処理をＷＷＷサーバーに実行させるプログラムを、コンピュータ読取可能な記録媒体に記録することも可能である。また、以上の説明においては、複数の広告用メッセージ及び複数のニュースを準備した場合について説明したが、一の広告用メッセージ及び該広告用メッセージと関連のある一のニュースを準備し、該広告用メッセージを該ニュースとともにＷＷＷページにて閲覧可能としてもよい。
【符号の説明】
【００３５】
１０ａ、１０ｂ、１０ｃ、１０ｄ 利用者端末
２０ 通信回線
３０ ＷＷＷサーバー
３２ ニュースデータベース
３４ 広告データベース
３６ ＷＷＷページ
【図１】
2011154726.tif 000003
【図２】
2011154726.tif 000004
【図３】
2011154726.tif 000005
【図４】
2011154726.tif 000006
【図５】
2011154726.tif 000007
【図６】
2011154726.tif 000008